(57)【要約】【課題】振込データ作成の専用ソフトを用いずに、振込データを簡単且つ間違うことなく作成することができる振込データ作成装置及び振込データ作成システムを提供することを目的とする。【解決手段】本発明の振込データ作成装置は、本発明の振込データ作成装置は、振込依頼者から作成要求があると、過去に行われた振込内容を示す振込データから振込依頼者の過去実績を作成し、その過去実績を記述した記入欄をＷＥＢを用いて端末に提供する。この記入欄は、例えば、端末のモニタ等に表示できる画面で提供するようにしてもよい。【選択図】図１
2005190244.tif 000002
【特許請求の範囲】
【請求項１】
過去に行われた振込の内容を示す過去振込データを振込依頼者別に記憶する過去振込データ記憶手段と、
振込データの作成要求があると、上記過去振込データ記憶手段に記憶された過去振込データに基づいて作成した上記作成要求を行った振込依頼者の振込の過去実績を編集可能に記述した記入欄をＷＥＢ（ウエブ）を用いて端末に提供する過去実績提供手段と、
上記端末からＷＥＢを用いて返信された上記記入欄に記述された内容に基づいて、振込データを作成する作成手段を備えたことを特徴とする振込データ作成装置。
【請求項２】
上記過去実績提供手段は、振込金額を０とした上記過去実績を作成する請求項１に記載の振込データ作成装置。
【請求項３】
上記作成手段が作成した振込データが正常であるかどうかを判断する判断手段を備え、
上記過去実績提供手段は、上記判断手段にて正常でないと判断された場合、上記端末から返信された記入欄の内容の訂正を上記端末に要求する請求項１に記載の振込データ作成装置。
【請求項４】
振込先または振込元となる金融機関名を記憶する金融機関記憶手段と、
上記金融機関の統廃合に基づいて上記金融機関記憶手段が記憶する金融機関名を更新する更新手段を備え、
上記判断手段は、上記金融機関記憶手段に記憶された金融機関名を用いて上記判断を行う請求項３に記載のデータ作成装置。
【請求項５】
過去振込データに従った振込みが正常に行われたかどうかを示す振込結果を過去振込データに書き込む振込結果書込手段を備えた請求項１に記載の振込データ作成装置。
【請求項６】
作成途中の振込データを振込依頼者別に記憶する仮記憶手段と、
上記過去実績提供手段は、上記作成要求があると、当該作成要求をした振込依頼者の作成途中の振込データが上記仮記憶手段に記憶されているかどうかを判断し、
記憶されていないと判断した場合のみ、上記記入欄をＷＥＢを介して端末に提供し、
記憶されていると判断した場合、記憶された作成途中の振込データに基づいて過去実績を作成し、当該過去実績を編集可能に記述した記入欄をＷＥＢを介して上記端末に提供する請求項１に記載の振込データ作成装置。
【請求項７】
過去に行われた振込内容を示す過去振込データを振込依頼者別に記憶する過去振込データ記憶手段と、
振込データの作成要求があると、上記過去振込データ記憶手段に記憶された過去振込データに基づいて作成された上記作成要求をした振込依頼者の振込の過去実績を編集可能に記述した記入欄をＷＥＢを用いて端末に提供する過去実績提供手段と、
上記端末からＷＥＢを用いて返信された上記記入欄に記述された内容に基づいて、振込データを作成する作成手段を備えたことを特徴とする振込データ作成装置と、
上記作成要求を発生させる作成要求発生手段と、
上記過去実績提供手段から提供された記入欄に記載された過去実績を編集する編集手段と、
編集された記入欄をＷＥＢを介して上記振込データ作成装置に返信する返信手段を具備した端末からなることを特徴とする振込データ作成システム。
【発明の詳細な説明】
【技術分野】
【０００１】
本発明は、振込の内容を示す振込データを作成する振込データ作成装置及び振込データ作成システムに関する。
【背景技術】
【０００２】
現在、振込を振込依頼者に代って行う振込代行サービスが行われている。振込代行サービスを利用する場合、振込依頼者は、振込内容を示す振込データを作成して、それを振込代行サービスを行う振込機関に渡す必要がある。
【０００３】
振込データの作成は、代行機関から配布された振込データ作成の専用ソフトを用いて行われる。この振込データには、振込元及び振込先の銀行名、支店名、口座番号、口座の種類（以下、「科目」という）、受取人名、振込金額、代行手数料、振込指定日等が含まれる。
【発明の開示】
【発明が解決しようとする課題】
【０００４】
上記のように振込データを作成するには、振込データ作成の専用ソフトを使用しなければならない。そのため、振込依頼者は、専用ソフトを自分のパソコン等にインストールしたり、専用ソフトの操作を覚えたりしなければならないので、振込代行サービスを利用するにあたって、このような手間が振込依頼者にかかる。また、振込機関には、振込依頼者に専用ソフトを配布したり、振込依頼者に専用ソフトの操作方法の指導したりする手間がかかる。
【０００５】
そこで、本発明は、振込データ作成の専用ソフトを用いずに、振込データを簡単且つ間違うことなく作成することができる振込データ作成装置及び振込データ作成システムを提供することを目的とする。
【課題を解決するための手段】
【０００６】
本発明の振込データ作成装置は、振込依頼者から作成要求があると、過去に行われた振込内容を示す振込データから振込依頼者の過去実績を作成し、その過去実績を記述した記入欄をＷＥＢを用いて端末に提供する。この記入欄は、例えば、端末のモニタ等に表示できる画面で提供するようにしてもよい。
【０００７】
記入欄は、振込元及び振込先の銀行名、支店名、口座番号、科目、振込依頼者名、受取人名、振込金額、振込代行手数料等の振込に関する内容が記述される欄があり、各欄には、過去に行われた振込に対応する事項が記述される。
【０００８】
振込依頼者が過去に振込を行っていない場合は、振込データ作成装置は、空白の記入欄、またはデフォルト値を各欄に記述した記入欄を提供する。
【０００９】
振込依頼者は、提供された記入欄に記述された過去実績を新規の振込の内容を示す情報に編集して、ＷＥＢを用いて振込データ作成装置に記入欄を返信する。
【００１０】
振込データ作成装置は、返信された記入欄に記述された内容に基づいて振込データを作成する。
【００１１】
振込データ作成装置で作成された振込データは、金融機関や振込代行サービスを提供する代行機関等の振込を行う振込機関に送られる。金融機関や振込機関は、送られてきた振込データに従って振込を行う。
【００１２】
過去に行われた振込の振込金額を記述した記入欄を端末に提供した場合、振込依頼者が振込金額を編集し忘れて、記入欄に記載された振込金額が過去に行われた振込の金額まま記入欄が返信されると、過去に行われた振込と同じ金額の振込が行われてしまう。このようなことを防ぐために、上記振込データ作成装置は、支払金額として０を記述した記入欄を端末に提供するようにしてもよい。
【００１３】
金融機関の統廃合により、金融機関や支店の名称が変更されたり、金融機関や支店が廃止されたりする場合がある。振込依頼者が金融機関や支店の名称の変更や廃止があったことを知らない場合、記入欄に存在しない金融機関や支店の名称が記述されてしまう可能性がある。このような名称が記述された場合、振込データに基づく振込が行えない。そこで、振込データを振込機関に送る前に、返信された記入欄の内容に基づいて作成した振込データに従って正常に振込みが行えるかどうかを判断するようにしてもよい。正常に振込が行えないと判断した場合、振込データ作成装置は、訂正を端末に要求するようにしてもよい。
【発明の効果】
【００１４】
振込依頼者は、ＷＥＢを用いて提供される記入欄の内容を新規の振込内容に編集するだけでよいので、専用ソフトの操作方法を覚えたり、専用ソフトをインストールする手間を掛けずに振込代行サービスを利用することができる。専用ソフトを振込依頼者に配布したり、専用ソフトの操作方法を振込依頼者に指導したりする手間を掛けずに、振込機関は、振込代行サービスを提供することができる。
【００１５】
振込データに基づいて正常に振込ができるかどうかが判断されるので、振込データを間違えずに作成することができる。
【発明を実施するための最良の形態】
【００１６】
本実施の形態では、図１に示す振込機関１８０が提供する振込代行サービスは、振込データ作成装置１００にて作成された振込データを利用して行われる。
【００１７】
振込代行サービスを利用する場合、振込依頼者は、振込データ作成装置１００で振込データを作成するために、まずインターネットを介して振込データ作成装置１００に自分の端末１５０を接続する。
【００１８】
振込データ作成装置１００と端末１５０が接続されると、振込データ作成装置１００に備えられたメニュー呼出手段１０１は、ログイン画面を端末１５０にＷＥＢを用いて提供する。送信されたログイン画面は、端末１５０の編集手段１５２によってモニタ１５１に表示される。振込依頼者は、キーボードやマスト等の操作具を用いてログイン画面（図示しない）にユーザＩＤとパスワードを入力する。入力されたユーザＩＤとパスワードは、返信手段１５３によってメニュー呼出手段１０１に送信される。
【００１９】
メニュー呼出手段１０１は、送信されたユーザＩＤとパスワードに基づいてユーザ認証を行う。ユーザ認証をすると、メニュー呼出手段１０１は、図２に示すようにメニュー画面２００を端末１５０にＷＥＢを用いて提供する。端末１５０の編集手段１５２は、送信されたメニュー画面２００をモニタ１５１に表示する。
【００２０】
メニュー画面２００が表示されると、振込依頼者は、メニュー画面２００に表示された振込データ作成キー２０１を選択する。振込データ作成キー２０１が選択されると、端末１５０に備えられた作成要求発生手段１５４は、振込データの作成要求を発生させて、作成要求をメニュー呼出手段１０１に送信する。
【００２１】
振込データの作成要求を受信すると、メニュー呼出手段１０１は、過去実績提供手段１０２に過去実績の提供を指示するとともに、ユーザ認証に用いたユーザＩＤを通知する。
【００２２】
過去実績の提供の指示とユーザＩＤの通知があると、過去実績提供手段１０２は、通知されたユーザＩＤに対応付けられたデータが仮記憶手段１０４に記憶されているがどうかを確認する（図３、Ｓ３０１）。この仮記憶手段１０４には、承認が得られていない作成途中の振込データが振込データの作成要求をした振込依頼者のユーザＩＤと対応付けて記憶されている。
【００２３】
通知されたユーザＩＤと対応付けられた作成途中の振込データが仮記憶手段１０４に記憶されていない場合、上記過去実績提供手段１０２は、通知されたユーザＩＤと対応付けられた過去振込データ４００が過去振込データ記憶手段１０３に記憶されているかどうかを確認する（図３、Ｓ３０２）。過去振込データ記憶手段１０３は、過去に行われた振込代行サービスで使用された過去振込データ４００が過去振込データ４００の作成要求をした振込依頼者のユーザＩＤ４０４に対応付けて記憶されている。
【００２４】
この過去振込データ４００は、振込先の口座に関する振込先口座情報４０１、振込元の口座に関する振込元口座情報４０２、振込金額等に関する金額情報４０３、備考４Ｏ、通番４Ｐ、明細番号４Ｑ等が含まれる。振込先口座情報４０１には、図４に示すように、振込先の金融機関名４Ａ、支店名４Ｂ、口座番号４Ｃ、科目４Ｄ、受取人名４Ｅが含まれる。振込元口座情報４０２には、振込元の金融機関名４Ｆ、支店名４Ｇ、口座番号４Ｈ、科目４Ｉ、振込依頼者名４Ｊが含まれる。なお、本実施の形態では、振込データ作成装置１００の説明を容易にするために、各振込依頼者は、１つの口座を振込元の口座として使用することとする。金額情報４０３には、支払金額４Ｋ、控除額４Ｌ、振込金額４Ｍ、振込指定日４Ｎが含まれる。
【００２５】
振込金額４Ｍは、振込先の口座に振込まれる金額であり、控除額４Ｌは、振込にかかる手数料のうち受取人が負担する金額である。この控除額４Ｌは、振込依頼者と受取人との契約で予め決められた金額である。振込みにかかる手数料は、振込みを行う際に発生する手数料であり、振込代行機関１８０に支払う振込代行サービス料を含まない。
【００２６】
支払金額４Ｋは、振込金額４Ｍと控除額４Ｌの合計となる金額である。また、明細番号４Ｑは、各過去振込データ４００を識別するための情報であり、通番４Ｐは、振込データの作成要求を識別するデータである。
【００２７】
ステップ３０２において、通知されたユーザＩＤと対応付けられた過去振込データ４００が記憶されていることが確認されると、上記過去実績提供手段１０２は、このユーザＩＤと対応付けられた過去振込データ４００を取得する（図３、Ｓ３０３）。過去振込データ４００を取得すると、過去実績提供手段１０２は、各過去振込データ４００を通番４Ｐ毎に分類して、図５に示すように、各分類の過去実績を示す通番データ５０１を作成する。
【００２８】
通番データ５０１は、各分類の通番５Ａ、通番５Ａに対応する振込指示にて指定された振込指定日５Ｂ、各分類に属する過去振込データ４００の件数（明細件数）５Ｃ、各分類に分類された過去振込データ４００の振込金額の合計５Ｄ、備考５Ｅからなる。備考５Ｅは、各分類に分類された全過去振込データの備考４Ｏの内容を反映した内容となる。
【００２９】
各分類の通番データ５０１を作成すると、上記過去実績提供手段１０２は、作成した各分類の通番データ５０１と、各分類の通番データ５０１に対応するチェックボックス５０２が表示される通番データ選択画面５００を作成する（図３、Ｓ３０４）。通番データ選択画面５００を作成すると、上記過去実績提供手段１０２は、通番データ選択画面５００をＷＥＢを用いて端末１５０に提供する（図３、Ｓ３０５）。
【００３０】
端末１５０に提供された通番データ選択画面５００は、端末１５０の編集手段１５２によってモニタ１５１に表示される。振込依頼者は、通番データ選択画面５００を見て、今回依頼する振込と内容が近いと思われる通番データ５０１に対応するチェックボックス５０２に操作具を用いてチェックを入れる（図３、Ｓ３０６）。振込依頼者は、チェックを入れると、通番データ選択画面５００の下部に表示される選択確定キー５０３を押下する。選択確定キー５０３が押下されると、返信手段１５３は、チェックボックス５０２がチェックされた通番データ５００の通番５Ａを過去実績提供手段１０２に通知する。
【００３１】
通番５Ａが通知されると、過去実績提供手段１０２は、ステップＳ３０３で取得した振込依頼者の過去振込データ４００のうち、通知された通番５Ａを含む過去振込データ４００に振込依頼者のユーザＩＤを対応付けたデータを作成途中の振込データとして仮記憶手段１０４に記憶させる。さらに、過去実績提供手段１０２は、通知された通番５Ａを含む過去振込データ４００の詳細を示す明細データ６０１を作成する。本実施の形態では、明細データ６０１は、図６に示すように、過去振込データ４００の明細番号４Ｑ、振込先の金融機関名４Ａ、支店名４Ｂ、受取人名４Ｅ、科目４Ｄ、口座番号４Ｃ、振込金額４Ｍと、備考４Ｏから構成される。
【００３２】
明細データ６０１を作成すると、過去実績提供手段１０２は、作成した明細データ６０１と、各明細データ６０１に対応するチェックボックス６０２と、通番データ選択画面５００にて振込依頼者が選択した通番５Ａを含む通番データ５０１が表示される図６に示す明細データ選択画面６００を作成する（図３、Ｓ３０７）。明細データ選択画面６００を作成すると、過去実績提供手段１０２は、明細データ選択画面６００をＷＥＢを用いて端末１５０に提供する（図３、Ｓ３０８）。
【００３３】
端末１５０に提供された明細データ選択画面６００は、端末１５０の編集手段１５２によってモニタ１５１に表示される。振込依頼者は、明細データ選択画面６００が表示されると、今回依頼する振込と内容が近いと思われる明細データ６０１に対応するチェックボックス６０２に操作具を用いてチェックを入れる（図３、Ｓ３０９）。このチェックは、複数のチェックボックス６０２に対して行うことも可能である。
【００３４】
振込依頼者は、チェックを入れると、明細データ選択画面６００の下部に表示される選択確定キー６０３を押下する。選択確定キー６０３が押下されると、返信手段１５３は、振込依頼者にチェックされたチェックボックス６０２の明細データ６０１の明細番号４Ｑを過去実績提供手段１０２に通知する。
【００３５】
過去実績提供手段１０２は、通知された明細番号４Ｑを含む過去振込データ４００の支払金額４Ｋと控除額４Ｌと振込金額４Ｍを０にする（図３、Ｓ３１０）。過去実績提供手段１０２は、支払金額４Ｋと控除額４Ｌと振込金額４Ｍを０にした過去振込データ４００を利用して図７に示す振込内容入力画面７００を作成する（図３、Ｓ３１１）。振込内容入力画面７００は、主入力欄７０１、合計値表示欄７０２、振込指定日選択欄７０３、新規振込キー７０４、入力確定キー７０５が表示される。
【００３６】
主入力欄７０１と振込指定日選択欄７０３に表示される内容は、端末１５０にて編集可能となっている。主入力欄７０１は、支払金額４Ｋと控除額４Ｌと振込金額Ｍが０となった各過去振込データ４００の振込先の金融機関名４Ａ、支店名４Ｂ、受取人名４Ｅ、科目４Ｄ、口座番号４Ｃと、値が０の支払金額４Ｋと控除額４Ｌと振込金額４Ｍが表示される。振込指定日選択欄７０３は、振込指定日が表示され、本実施の形態ではプルダウンキーを用いてこの振込指定日を変更することができるようになっている。合計値表示欄７０２は、主入力欄７０１に表示された過去振込データの件数（明細件数）７２Ａ、主入力欄７０１に記述された支払金額４Ｋ、控除額４Ｌ、振込金額４Ｍの合計額７２Ｅ、７２Ｆ、７２Ｂ、振込データの件数７２Ａに比例する代行手数料７２Ｃ、振込金額７２Ｂと代行手数料７２Ｃの合計となる合計金額７２Ｄが表示される。
【００３７】
振込内容入力画面７００を作成すると、上記過去実績提供手段１０２は、振込内容入力画面７００をＷＥＢを用いて端末１５０に提供する（図３、Ｓ３１２）。
【００３８】
端末１５０に提供された振込内容入力画面７００は、端末１５０の編集手段１５２によってモニタ１５１に表示される。振込依頼者は、振込内容入力画面７００が表示されると、主入力欄７０１に表示される事項が今回依頼する振込の内容となるように、主入力欄７０１に表示された各過去振込データ４００を操作具で編集する（図３、Ｓ３１３）。
【００３９】
なお、図７に示す振込金額４Ｍは、支払金額４Ｋから控除額４Ｌを引いた金額となるので、振込金額４Ｍは、支払金額４Ｋと控除額４Ｌが入力された金額に基づいて編集手段１５２が算出して表示してもよい。
【００４０】
図７では、３件の過去振込データ４００が主入力欄７０１に表示されているが、今回依頼する振込件数が４件以上の場合、振込依頼者は、４件目以降の振込の振込データについては１から作成する。４件目以降の振込データを作成する場合、振込依頼者は、新規振込キー７０４を押下する。新規振込キー７０４が押下されると、編集手段１５２によって、主入力欄７０１の各欄の値が０又は初期値となった欄が表示される。ユーザは、値が０又は初期値となっている各欄に４件目の振込の内容となる値を入力する。また、今回依頼する振込件数が１又は２件の場合、主入力欄７０１に表示された３件のうち、１又は２件の過去振込データ４００を今回依頼する振込の内容に編集し、残りの１又は２件の過去振込データ４００の支払金額４Ｋを０にする。
【００４１】
編集手段１５２は、主入力欄７０１の内容に基づいて、合計値表示欄７０２の各欄に表示する値を算出して、算出した値を表示する。
【００４２】
振込依頼者は、主入力欄７０１の編集を終えると、プルダウンキーを用いて振込指定日選択欄７０３に今回依頼する振込みの振込指定日を入力する。
【００４３】
振込依頼者は、例えば図８のように主入力欄７０１の編集をし、振込指定日の入力を終えると、入力確定キー７０５を押下する。
【００４４】
入力確定キー７０５が押下されると、返信手段１５３は、主入力欄７０１、振込指定日選択欄７０３に表示されていた内容を過去実績提供手段１０２に返信する。なお、返信手段１５３は、主入力欄７０１の振込金額４Ｍ、控除額４Ｌ、支払金額４Ｋが０である場合、その主入力欄７０１に表示されていた内容を返信の対象から除外する。
【００４５】
過去実績提供手段１０２は、返信された主入力欄７０１、振込指定日選択欄７０３に表示されていた内容を、振込金額、控除額、支払金額を０とした過去振込データ４００の振込元口座情報４０２と振込依頼者のユーザＩＤと共に作成手段１０５に入力する。
【００４６】
主入力欄７０１に表示されていた内容等が過去実績提供手段１０２から入力されると、作成手段１０５は、入力された主入力欄７０１に表示されていた内容と振込元口座情報４０２に基づいて新規の振込データを作成する（図３、Ｓ３１４）。
【００４７】
作成手段１０５が作成する新規の振込データは、図３に示す過去振込データと同じ種類のデータで構成される。
【００４８】
具体的には、作成手段１０５は、主入力欄７０１に表示されていた各過去振込データ４００の振込先の金融機関名４Ａ、支店名４Ｂ、受取人名４Ｅ、科目４Ｄ、口座番号４Ｃを新規の各振込データの振込先口座情報４０１とし、入力された振込元口座情報４０２を新規の各振込データの振込元口座情報４０２とし、振込指定日選択欄７０３に表示された日付、主入力欄７０１に表示されていた振込金額４Ｍと控除額４Ｌと支払金額４Ｋを新規の各振込データの振込指定日４Ｎ、振込金額４Ｍ、控除額４Ｌ、支払金額４Ｋとする。さらに作成手段１０５は、作成した新規の各振込データに同じ通番４Ｐと空白の備考４Ｏを付加し、新規の各振込データに異なる通番４Ｑを付ける。
【００４９】
新規の振込データを作成すると、作成手段１０５は、作成した新規の各振込データに振込依頼者のユーザＩＤを対応付ける。
【００５０】
新規の各振込データにユーザＩＤを対応付けると、作成手段１０５は、ユーザＩＤを対応付けた新規の各振込データを判断手段１０６に入力する。新規の振込データを判断手段１０６に入力すると、作成手段１０５は、ユーザＩＤを対応付けた新規の各振込データを作成途中の振込データとし、この作成途中の振込データで、この作成途中の振込データと同じユーザＩＤが対応付けられて仮記憶手段１０４に記憶された作成途中の振込データを上書きする。
【００５１】
新規の各振込データが入力されると、上記判断手段１０６は、入力された新規の各振込データが正常であるかどうかを金融機関名記憶手段１０７に記憶された金融機関の名称等を用いて行う（図３、Ｓ３１５）。
【００５２】
金融機関名記憶手段１０７は、現存する金融機関名、支店名を記憶している。現存する金融機関名や支店名に変更があると金融機関名記憶手段１０７が記憶する内容は、更新手段１０８によって更新される。更新手段１０８による更新は、振込データ作成装置１００を管理する管理者などによって行われる。
【００５３】
上記判断手段１０６は、金融機関名記憶手段１０７に記憶されていない金融機関名、支店名が振込先の金融機関名、支店名とされた新規の振込データを正常でない新規の振込データと判断する。正常でないと判断した新規の振込データが１つでもあるとすると、上記判断手段１０６は、正常でないと判断した新規の振込データに含まれる通番４Ｐと明細番号４Ｑを上記過去実績提供手段１０２に通知する。
【００５４】
通番４Ｐと明細番号４Ｑが通知されると、過去実績提供手段１０２は、通知された通番４Ｐが含まれた作成途中の振込データを仮記憶手段１０４から取得する。作成途中の振込データを取得すると、過去実績提供手段１０２は、上記で過去振込データ４００から振込内容入力画面７００を作成したように、取得した作成途中の振込データから振込内容入力画面７００を作成する。振込内容入力画面７００を作成すると、過去実績提供手段１０２は、判断手段１０６から通知された明細番号４Ｑの新規の振込データの振込先の金融機関名又は支店名が存在しない旨の表示を振込内容入力画面７００に付加した訂正画面を作成し、その訂正画面をＷＥＢを用いて端末１５０に提供する。
【００５５】
端末１５０に提供された訂正画面は、端末１５０の編集手段１５２によってモニタ１５１に表示される。振込依頼者は、訂正画面が表示されると、金融機関名又は支店名を訂正して、入力確定キーを押下する。入力確定キーが押下されると、返信手段１５３は、訂正画面に表示された内容を過去実績提供手段１０２に返信する。
【００５６】
過去実績提供手段１０２は、返信された訂正画面に表示された内容とステップ３１０で支払金額４Ｋ、控除額４Ｌ、振込金額４Ｍを０とした過去振込データ４００の振込元口座情報４０２と振込依頼者のユーザＩＤを作成手段１０５に入力する。
【００５７】
作成手段１０５は、ステップＳ３１４で新規の振込データを作成した方法と同じ方法で、入力された訂正画面に表示された内容と、振込元口座情報４０２から新規の振込データを作成し直す。作成手段１０５は、作成し直した新規の振込データに振込依頼者のユーザＩＤを対応付けた作成途中の振込データを作成する。作成手段１０５は、ユーザＩＤを対応付けた振込データを判断手段１０６に入力する。新規の振込データを判断手段１０６に入力すると、作成手段１０５は、ここで作成した作成途中の振込データと同じユーザＩＤが対応付けられた仮記憶手段１０４に記憶されている作成途中の振込データをここで作成した作成途中の振込データで上書きする。
【００５８】
判断手段１０６は、振込データが入力されると、再度振込データが正常であるかどうかを金融機関名記憶手段１０７に記憶された金融機関の名称等を用いて行う（図３、Ｓ３１５）。正常でないと判断した振込データが１つでもある場合は、上記のようにして、上記判断手段１０６は、再度過去実績提供手段１０２に通番４Ｐを通知する。
【００５９】
ステップＳ３１５において、全ての振込データが正常と判断した場合、上記判断手段１０６は、正常と判断した振込データの通番４Ｐを承認手段１０９に通知する。
【００６０】
通番４Ｐが通知されると、承認手段１０９は、通知された通番４Ｐが含まれた作成途中の振込データを仮記憶手段１０４から取得する。承認手段１０９は、取得した作成途中の振込データから図９に示す確認画面９００を作成する。この確認画面９００は、図８に示す振込内容入力画面７００の主入力欄７０１、合計額表示欄７０２、振込指定日選択欄７０３と同じ内容と、確認キー９０１と編集キー９０２が表示される。
【００６１】
確認画面９００を作成すると、承認手段１０９は、作成した確認画面９００をＷＥＢを介して端末１５０に提供する。
【００６２】
端末１５０に提供された確認画面９００は、端末１５０の編集手段１５２によってモニタ１５１に表示される。振込依頼者は、確認画面９００が表示されると、確認画面９００の内容に間違いがないかどうかを確認する。間違いがなければ、確認画面９００の下部に表示される確認キー９０１を押下し、間違いがあれば、確認画面９００に表示される編集キー９０２を押下する。
【００６３】
確認キー９０１が押下されると、返信手段１５３は、その旨を承認手段１０９に送信する。承認手段１０９は、確認キー９０１が押下された旨を受信すると、上記で仮記憶手段１０４から取得した振込データを振込確定手段１１０に入力する。
【００６４】
振込確定手段１１０は、入力された振込データを振込機関１８０にインターネットを介して送信して提供するとともに、入力された振込データを過去振込データとして過去実績記憶手段１０３に記憶させる（図３、Ｓ３１６）。承認手段１０９は、振込確定手段１１０に振込データを入力すると、取得した作成途中の振込データを仮記憶手段１０４から消去する。
【００６５】
以上のように、本実施の形態の振込データ作成装置１００を用いれば、振込依頼者は、ＷＥＢを用いて振込データを容易に作成し、振込機関１８０に送ることができる。
【００６６】
確認画面９００の編集キー９０２を振込依頼者が押下した場合、編集手段１５２は、確認画面９００の主入力欄７０１と振込指定日７０３の編集を可能とする。振込依頼者は、編集キー９０２を押下すると、主入力欄７０１と振込指定日選択欄７０３を今回依頼する振込の内容となるように編集し、編集し終えると、確認キー９０１を押下する。編集キー９０２が押下されてから確認キー９０１が押下された場合、返信手段１５３は、確認画面９００の主入力欄７０１と振込指定日選択欄７０３に表示された内容を承認手段１０９に送信する。
【００６７】
主入力欄７０１と振込指定日選択欄７０３に表示された内容を受信すると、承認手段１０９は、受信した主入力欄７０１と振込指定日選択欄７０３に表示された内容と、確認画面９００の作成に用いたユーザＩＤが対応付けられた作成途中の振込データを作成手段１０５に入力する。
【００６８】
作成手段１０５は、入力された主入力欄７０１と振込指定日７０３に表示された内容と振込データに基づいて、ステップＳ３１４のように新規の振込データを作成し直す。即ち、作成手段１０５は、主入力欄７０１に表示された内容を、新規の振込データの振込先口座情報４０１とし、入力された振込データの振込元口座情報４０２を新規の各振込データの振込元口座情報４０２とし、振込指定日選択欄７０３に表示された日付、主入力欄７０１に表示されていた振込金額４Ｍと控除額４Ｌと支払金額４Ｋを新規の振込データの振込指定日４Ｎ、振込金額４Ｍ、控除額４Ｌ、支払金額４Ｋとする。作成手段１０５は、作成した新規の振込データに異なる明細番号４Ｑと、同じ通番４Ｐと、空白の備考４Ｏを付加する。
【００６９】
作成手段１０５は、新規の振込データを作成すると、作成した新規の振込データに振込依頼者のユーザＩＤを対応付けて作成途中の振込データを作成する。作成手段１０５は、作成途中の振込データに含まれたユーザＩＤが対応付けられて仮記憶手段１０４に記憶された作成途中の振込データをここで作成した作成途中の振込データで上書きするとともに、ここで作成した作成途中の振込データを判断手段１０６に入力する。
【００７０】
ここで判断手段１０６に入力された新規の振込データは、判断手段１０６と承認手段１０９において上記で作成された振込データと同じように扱われる。
【００７１】
上記過去振込データ記憶手段１０３には過去に行われた振込依頼サービスに使用された過去振込データが記憶されるために、振込依頼者がこれまで振込依頼サービスを利用したことがない場合、上記過去振込データ記憶手段１０３には過去振込データが記憶されていない。この場合、ステップ３０２の判断において、過去振込データが記憶されていないと過去実績提供手段１０２に判断される。過去振込データが記憶されていないと判断した場合、過去実績提供手段１０２は、主入力欄７０１が０又は初期値の振込内容入力画面７００を作成して、端末１５０に提供する（図３、Ｓ３１１→Ｓ３１２）。
【００７２】
上記で説明した振込データの作成の処理を一時的に中断できるようにしてもよい。中断できるようにするために、例えば、図５〜８に示すように通番データ選択画面５００、明細データ選択画面６００、振込内容確認画面７００、確認画面９００には、終了キー５０６、６０６、７０６、９０６を表示してもよい。終了キー５０５、６０６、７０６、９０６が押下された場合、返信手段１５３は、その旨を過去実績提供手段１０２に通知する。過去実績提供手段１０２は、終了キーが押下された旨が通知されると、メニュー呼出手段１０１にメニュー画面２００の表示を指示する。この指示を受けて、メニュー呼出手段１０１は、端末１５０にメニュー画面２００を提供する。これにより振込データの作成の処理が中断される。
【００７３】
終了キー６０６、７０６、９０６が押下されても、仮記憶手段１０４に過去振込データ又は振込データが作成途中の振込データとして記憶されている。本実施の形態の振込データ作成装置１００は、振込データの作成と振込機関１８０への送信の再開を、仮記憶手段１０４に記憶されたデータを用いてすることができる。
【００７４】
具体的には、ステップ３０１の判断において、振込依頼者のユーザＩＤと対応付けられたデータが仮記憶手段１０４に記憶されたと判断した場合、過去実績提供手段１０２は、そのデータが振込依頼者の過去振込データであるかどうか判断する（図３、Ｓ３１７）。振込依頼者の過去振込データであると判断した場合、過去実績提供手段１０２は、仮記憶手段１０４に記憶された過去振込データから明細データ選択画面６００を作成する（図３、Ｓ３０７）。
【００７５】
振込依頼者の振込データでないと判断した場合、過去実績提供手段１０２は、仮記憶手段１０４に記憶されているデータを振込データと判断する。振込データと判断すると、過去実績提供手段１０２は、振込データを上記判断手段１０６に入力して、上記判断手段１０６にステップ３１５の判断をすることを指示する。
【００７６】
なお、振込データの作成の処理を再開する際に、仮記憶手段１０４に記憶されたデータを用いずに、振込データを最初から作成し直したい場合も想定される。仮記憶手段１０４にデータが記憶されていても、振込データを作成し直すことができるように、過去実績提供手段１０２は、仮記憶手段１０２に記憶されたデータを用いて振込データの作成を再開するかどうかを端末１５０に問い合わせてもよい（図３、Ａ）。この問合せの結果、端末１５０から最初から作成しなおしたい旨が通知された場合、上記過去実績提供手段１０２の処理は、ステップ３０２に移行する（図３、Ａ→Ｓ３０２）
（実施の形態２）
実施の形態１に記載したように、判断手段１０６にて正常と判断された振込データのみが、振込機関１８０に送信されている。しかし、振込データのうち判断手段１０６が正常か否かを判断できない事項があるために、正常でない振込データが振込機関１８０に送信される場合がある。判断手段１０６が判断できない事項として、例えば振込先の口座が存在するかどうか、受取人名が間違っているかどうか等がある。
【００７７】
送信されてきた振込データに基づいて振込みができない場合、振込機関１８０は、振込依頼者に振込みができなかった旨を電話や、メールなどで知らせる。振込みがされなかった旨が通知されると、振込依頼者は、振込データを再度作成して、振込機関１８０に振り込みを行ってもらう。
【００７８】
振込データの作成は、実施の形態１に記載した振込データを作成した方法と同じ方法で行うことができる。再度振込データを作成する際には、振込依頼者は、振込がされなかった旨が通知された振込の過去振込データを通番データ選択画面５００、明細データ選択画面６００から選択して、振込内容入力画面７００に表示させる。振込依頼者は、振込内容入力画面７００に表示された過去振込データの口座番号等を正しい値に変更する。
【００７９】
振込みがされなかった振込の過去振込データを通番データ選択画面５００、明細データ選択画面６００から選択を、端末１５０のモニタ１５２のみを見て行うことができるように、振込みがされなかった振込に対応する通番データ５０１や明細データ６０１の備考４Ｏに振込みがされなかった旨を表示してもよい。
【００８０】
備考４Ｏに振込みがされなかった旨を表示するには、過去振込データ記憶手段１０３に記憶された過去振込データの備考４Ｏに予め振込がされなかった旨が書き込まれていなければならない。
【００８１】
本実施の形態の振込データ作成装置１００は、過去振込データ記憶手段１０３に記憶された過去振込データの備考４Ｏに振込がされなかった旨等の振込結果を書き込む振込結果書込手段１１１を備える。
【００８２】
この振込結果書込手段１１１は、振込機関１８０から送られる各振込の振込結果を受け取る。振込機関１８０が通知する振込結果は、各振込の明細番号４Ｑが対応付けられている。振込結果書込手段１１１は、受け取った振込結果をこの振込結果に対応付けられた明細番号４Ｑの過去振込データの備考４Ｏに書き込む。
【００８３】
これにより、過去振込データ記憶手段１０３に記憶された過去振込データの備考４Ｏに
振込結果が書き込まれるので、振込依頼者は、過去振込データから振込がされなかった振込に対応する振込データを容易に選択することができる。
【図面の簡単な説明】
【００８４】
【図１】本発明の振込データ作成装置の機能ブロック図。
【図２】メニュー画面の模式図。
【図３】振込データの作成から振込データの振込機関への提供までの手順を示すフローチャート。
【図４】過去振込データのデータ構成図。
【図５】通番データ選択画面の模式図。
【図６】明細データ選択画面の模式図。
【図７】振込内容入力画面の模式図。
【図８】振込内容入力画面の模式図。
【図９】確認画面の模式図。
【符号の説明】
【００８５】
１００  振込データ作成装置
１０２  過去実績提供手段
１０３  過去振込データ記憶手段
１０４  仮記憶手段
１０５  作成手段
１０６  判断手段
１０７  金融機関名記憶手段
１０８  更新手段
１０９  承認手段
１１０  振込確定手段
１１１  振込結果確認手段
１５０  端末
１８０  振込機関
【図１】
2005190244.tif 000003
【図２】
2005190244.tif 000004
【図３】
2005190244.tif 000005
【図４】
2005190244.tif 000006
【図５】
2005190244.tif 000007
【図６】
2005190244.tif 000008
【図７】
2005190244.tif 000009
【図８】
2005190244.tif 000010
【図９】
2005190244.tif 000011